(57)【特許請求の範囲】
【請求項１】
シャーシと、前記シャーシに配置された反射板と、前記反射板に覆われたランプ点灯用の点灯装置と、環形ランプを保持するために前記反射板に取り付けられたランプ保持部材と、前記点灯装置に電気コードで前記反射板の周縁部を介して接続され前記環形ランプの口金の端子部に前記反射板側から装着されるソケットとを有する照明器具であって、
前記環形ランプの口金と対向する前記反射板の部分に前記ソケットを収容する凹部を備え、前記ソケット直下の電気コードと前記凹部の底面との距離を、前記ソケットの口金の端子部への挿入寸法より小さく設定することを特徴とする照明器具。
【請求項２】
前記ソケットに接続される電気コードが、前記ソケットに対向する前記反射板の凹部の底面との間で間隔をあけて配線されることを特徴とする請求項１に記載の照明器具。
【請求項３】
前記反射板の凹部のランプ周方向の幅が、前記環形ランプの口金のランプ周方向の幅以下であることを特徴とする請求項１または２に記載の照明器具。
【発明の詳細な説明】
【技術分野】
【０００１】
本発明は、照明器具に関するものである。
【背景技術】
【０００２】
環形ランプ用照明器具は、一般に円盤状のシャーシの中央部に反射板が設けられており、反射板の近傍に環形ランプを装着する。環形ランプの口金の端子部の位置はランプの種類により異なる。例えば、特許文献１には、ランプの口金から内方４５°方向に向けてランプピン（端子部）を設けた環形ランプが開示されている。この環形ランプのランプピンは反射板に直接設けたランプソケットに接続される。また、ランプソケットを反射板に直接設けることなく電気コードで接続するものもある。
【０００３】
一方、環形ランプには環形ランプ用照明器具に取り付けた際に環形ランプの口金の端子部が反射板側に向くものがある。この場合も、ランプソケットは反射板に直接設置することもできるし、電気コードで接続することもできる。
【先行技術文献】
【特許文献】
【０００４】
【特許文献１】特開２００２−２５１９１４号公報
【発明の概要】
【発明が解決しようとする課題】
【０００５】
照明器具は輸送時に梱包されるが、梱包時には、環形ランプの口金の端子部をランプソケットに装着し、照明器具の背面（ランプ装着面でない面）を下方にして梱包する。ここで、照明器具が、環形ランプの口金の端子部を反射板側に向けたもので、ランプソケットが電気コードで接続されたものである場合、梱包状態では口金の端子部が下方を向いているため、輸送中の振動等でランプソケットが口金から脱落するおそれがある。
【０００６】
本発明の目的は、電気コードで接続されたランプソケットがランプの口金から脱落することを防止することができる照明器具を提供することにある。
【課題を解決するための手段】
【０００７】
本発明は、上記目的を達成するため以下のような照明器具を提供する。
（１）シャーシと、前記シャーシに配置された反射板と、前記反射板に覆われたランプ点灯用の点灯装置と、ランプを保持するために前記反射板に取り付けられたランプ保持部材と、前記点灯装置に電気コードで接続され前記ランプの口金の端子部に前記反射板側から装着されるソケットとを有する照明器具であって、
前記ランプの口金と対向する前記反射板の部分に前記ソケットを収容する凹部を備えたことを特徴とする照明器具。
（２）前記ソケットに接続される電気コードが、前記ソケットに対向する前記反射板の凹部の面との間で間隔をあけて配線されることを特徴とする上記（１）に記載の照明器具。
（３）前記反射板の凹部のランプ周方向の幅が、前記ランプの口金のランプ周方向の幅以下であることを特徴とする上記（１）または（２）に記載の照明器具。
【発明の効果】
【０００８】
請求項１に係る発明によれば、電気コードで接続されたランプソケットがランプの口金から脱落することを防止することができる照明器具を得ることができる。
請求項２に係る発明によれば、本構成を有しないものに比べ、ランプの口金温度を低減することができる。
請求項３に係る発明によれば、反射板の効果に大きな影響を及ぼさないようにすることができる。
【図面の簡単な説明】
【０００９】
【図１】本発明に係る照明器具の一実施例を示す外観斜視図である。
【図２】図１の実施例において環形ランプを取り付けた状態を示す斜視図である。
【図３】図１の実施例における環形ランプの口金の周辺部を示す断面図である。
【発明を実施するための形態】
【００１０】
図１は、本発明に係る照明器具の一実施例を示す外観斜視図である。本実施例において図示のように、照明器具は、円盤状のシャーシ４０と、シャーシ４０の中央部に配置された反射板２０と、反射板２０に覆われたランプ点灯用の点灯装置（図示せず）と、反射板２０に取り付けられた環形ランプを保持するためのランプ保持部材２２と、点灯装置に電気コード１１で接続され環形ランプの口金の端子部に反射板２０側から装着されるランプソケット１０とを有する。環形ランプの口金と対向する反射板２０の部分には、ソケット１０を収容する凹部２１を備える。反射板２０の中央部には、器具を天井に取り付けるための取付けアダプタを配置するための取り付け孔４１が設けられている。なお、本例の反射板２０は円錐台状をしているが、形状はこれに限定されず、円筒状のものでもよい。
【００１１】
図２は、図１の実施例においてランプ３０を取り付けた状態を示す斜視図である。本例のランプ３０は二重環形蛍光ランプであるが、本発明はこれに限定されない。ランプ３０は一重環形や四角形状やスクエア形のランプなどでも良く、ランプの形状により本発明の効果が変わることはない。電気コード１１に接続されたソケット１０は、反射板２０の凹部２１の空間を介して、反射板側からランプ３０の口金３１の端子部３２に装着される。この凹部２１は、ランプ３０の口金３１の位置に対応して、例えば図示のように、円錐台状の反射板の斜面をえぐる形で形成される。凹部２１の寸法は、ソケット１０の収容と、ソケット１０に接続される電気コード１１の配線を無理なく行うことができる大きさとされるが、凹部２１が反射板の効果に大きな影響を及ぼさないように、凹部２１のランプ周方向の幅は口金３１のランプ周方向の幅以下であることが好ましい。
【００１２】
図３は、図１の実施例における環形ランプの口金３１の周辺部を示す断面図である。ソケット１０は筒状に形成され、一方の端面は口金の端子部３２に装着され、他方の端面は電気コード１１に接続される。ソケット１０直下の電気コード１１と凹部２１の面との距離を、ソケット１０の口金の端子部３２への挿入寸法より小さく設定することで、ソケット１０の脱落を良好に防止することができる。これは照明器具の輸送時において特に有効である。また、ソケット１０に接続される電気コード１１を凹部２１の面につけて配線すると、電気コード１１が支えになるため、ソケット１０の脱落防止に一層効果的である。一方で、ソケット１０に接続される電気コード１１を、ソケット１０に対向する反射板の凹部２１の面との間で間隔をあけて配線することで、ランプ口金部分の通風を確保することができ、ランプ口金温度の低減を図ることができる。
【符号の説明】
【００１３】
１０  ソケット
１１  電気コード
２０  反射板
２１  凹部
２２  ランプ保持部材
３０  環形ランプ
３１  口金
３２  端子部
４０  シャーシ
４１  取り付け孔
【図１】
0005511714.tif 000002
【図２】
0005511714.tif 000003
【図３】
0005511714.tif 000004